(57)【特許請求の範囲】
【請求項１】
プランジャユニットとシリンダとからなるプランジャポンプ部と、逆止弁ユニット部と、可動鉄心Ａ及び可動鉄心Ｂを内蔵する弁座本体とソレノイドを有する連通本体とからなる電磁式切替弁部と、洗濯機取付板と、からなり、洗濯機の洗濯槽の上部に水平配設されて該洗濯槽の横揺振動に反応して該シリンダ内に存在する空気が圧縮されて圧縮空気Ａになりその圧縮空気Ａを伝達及び遮断を切替えて洗濯機の水位センサに送ったり、洗濯機のエアートラップからの圧縮空気Ｂを伝達及び遮断を切替えて該水位センサに送ったりできる振動−圧力変換機能内蔵型空気多方切替弁装置であって、
プランジャユニットは、槽接触棒と、該槽接触棒を常時弾発付勢する中径圧縮渦巻発条と、筒中部が閉塞し筒一端部が開口し該筒一端部から該中径圧縮渦巻発条と該槽接触棒の一部とを筒内周部に収納し筒外周部に鍔部を有し該鍔部の一側面に当接するように筒外周部に中径気密環状弾性体を環装し筒他端部の軸方向から該鍔部の一側面方向へ連通する複数の連通孔を有する筒のプランジャと、該プランジャの該中径気密環状弾性体を押圧するように筒外周部にＶパッキンを環装した筒型コイルボビン状のプランジャホルダと、該プランジャホルダが抜脱できないように該プランジャの筒他端部と結合される鍔体と、からなり、
シリンダは、小径開口し該プランジャの鍔部の他側面に当接する壁面部を有する中空円柱一端部と、鍔部を有し大径開口した中空円柱他端部と、を有する中空円柱からなり、
プランジャポンプ部は、該シリンダの中空円柱他端部から該プランジャユニットを挿入して突出し該プランジャユニットを常時弾発付勢する大径圧縮渦巻発条を中空円柱内周部に収納してなり、
逆止弁ユニット部は、Ｏリングを環装した円錐状のシャトルと、該シャトルを常時弾発付勢する中径圧縮渦巻発条Ｄと、小径開口した一端部と中径開口し鍔部を有する他端部とを有し該他端部から該シャトルと該中径圧縮渦巻発条Ｄとを収納する内筒と、該中径圧縮渦巻発条Ｄが抜脱できないように該他端部と結合される蓋体と、からなり、
弁座本体は、両端部に弁体が固定された円柱状の可動鉄心Ａと該可動鉄心Ａを常時弾発付勢する小径圧縮渦巻発条Ａとが収納された可動鉄心誘導筒孔Ａと、一端部に弁体が固定された円柱状の可動鉄心Ｂと該可動鉄心Ｂを常時弾発付勢する小径圧縮渦巻発条Ｂとが収納された可動鉄心誘導孔Ｂと、を有する環状円柱体で、該環状円柱体の一端部側にはエアートラップ内空気導入口と外部開放口と水位センサ接続口とが設けられ、該可動鉄心誘導孔Ａの底面には該エアートラップ内空気導入口に連通する弁座Ａを有し、該可動鉄心誘導孔Ｂの底面には該外部開放口に連通する弁座Ｂと水位センサ接続口に連通する開口Ｃとを有し、
連通本体は、貫通孔ａを有し一端部側に弁座ａを設けた環状円柱形の固定鉄心ａと、貫通孔ｂを有し一端部側に弁座ｂを設けた環状円柱形の固定鉄心ｂと、ヨーク一端部に該固定鉄心ａの他端部と該固定鉄心ｂの他端部とが固定されヨーク他端部の略中央部が大径開口するコ字状ソレノイドヨークと、該コ字状ソレノイドヨークのヨーク一端部とヨーク他端部との間に取り付けられるソレノイドと、からなり、
電磁式切替弁部は、該弁座本体の可動鉄心誘導筒孔Ａに該連通本体の弁座ａがそして該弁座本体の該可動鉄心誘導筒孔Ｂに該連通本体の弁座ｂが挿入されるように、該連通本体の該コ字状ソレノイドヨークのヨーク他端部の大径開口部に該弁座本体の環状円柱体を挿入して取付けたものであり、
空気多方切替弁装置は、該シリンダ内に該プランジャユニットを挿入し、該シリンダ内に常時弾発付勢する大径圧縮渦巻発条を中空円柱内周部に収納し該中空円柱他端部の開口部を閉塞するように逆止弁ユニット部の一端部側を挿入して押止め、該連通本体の該コ字状ソレノイドヨークのヨーク一端部側と該逆止弁ユニット部の他端部側とを面合わせし、該シリンダの中空円柱他端部の鍔部と該弁座本体の環状円柱体の一端部とを挟むように洗濯機取付板が取り付けられて完成し、
該ソレノイドが無通電のいわゆる消磁時には、該可動鉄心Ａは該可動鉄心Ａを常時弾発付勢する小径圧縮渦巻発条Ａにより該弁座本体の該エアートラップ内空気導入口に連通する弁座Ａを閉塞して洗濯機のエアートラップからの圧縮空気Ｂの通過を遮断し、該可動鉄心Ｂは該可動鉄心Ｂを常時弾発付勢する小径圧縮渦巻発条Ｂにより該弁座本体の該外部開放口に連通する弁座Ｂを閉塞し、
洗濯機の脱水工程時における洗濯槽の横揺振動により該洗濯槽が該プランジャユニットの槽接触棒を押した時は、該槽接触棒を常時弾発付勢する中径圧縮渦巻発条が圧縮されるが圧縮可能範囲内の時は、該プランジャは該シリンダ内を摺動しないが、該中径圧縮渦巻発条が完全に圧縮された時は、プランジャポンプ部の作動が開始され、該プランジャは該シリンダ内を摺動し、該プランジャユニットのプランジャホルダと中径気密環状弾性体とが当接されて、該シリンダ内に存在する空気は該プランジャに設けられた複数の連通孔から逃げることが無くなり、該プランジャユニットを常時弾発付勢する大径圧縮渦巻発条を圧縮しながら該シリンダ内に存在する空気を圧縮して圧縮空気Ａになり、該圧縮空気Ａの押圧により該逆止弁ユニット部のシャトルを常時弾発付勢する中径圧縮渦巻発条Ｄを圧縮しながら該シャトルは該連通本体側に移動し、該圧縮空気Ａは該連通本体の固定鉄心ａの貫通孔ａ内を通り、該可動鉄心誘導筒孔Ａ内を通り、該弁座本体の水位センサ接続口に連通する開口Ｃ内を通り、該水位センサ接続口から排気されて洗濯機の水位センサに伝達され、
洗濯機の脱水工程時における洗濯槽の横揺振動により該洗濯槽と該プランジャユニットの槽接触棒とが離れた時は、プランジャポンプ部の作動が保持され、該槽接触棒は該槽接触棒を常時弾発付勢する中径圧縮渦巻発条により復帰し、該プランジャは該プランジャユニットを常時弾発付勢する大径圧縮渦巻発条により該シリンダ内を摺動しながら復帰し、該プランジャユニットのプランジャホルダと中径気密環状弾性体とが離れて、該プランジャに設けられた複数の連通孔から該シリンダ内に外部の空気が補充されて、該シリンダ内の空気圧力が低下し、その圧力低下により該逆止弁ユニット部は該逆止弁ユニット部のシャトルを常時弾発付勢する中径圧縮渦巻発条Ｄにより復帰し、該水位センサ接続口から排気されている圧縮空気Ａの空気圧力は伝達維持され、
この洗濯機の脱水工程時における洗濯槽の横揺振動が連続又は断続で繰り返される場合は、前記プランジャポンプ部の作動開始と、前記プランジャポンプ部の作動保持と、が交互に繰り返され、該水位センサ接続口から排気され洗濯機の水位センサに伝達されている圧縮空気Ａは徐々に加圧され、該洗濯機に設定された判定値を超えると洗濯機の脱水工程が停止されるような処置に利用され、
該ソレノイドが通電のいわゆる励磁時には、該可動鉄心Ａは該可動鉄心Ａを常時弾発付勢する小径圧縮渦巻発条Ａを圧縮しながら該ソレノイドの略中央部に移動して該弁座本体の該エアートラップ内空気導入口に連通する弁座Ａを開放し、同時に該可動鉄心Ａは該連通本体の固定鉄心ａの弁座ａを閉塞して該シリンダ内に存在する空気の進入を遮断し、該可動鉄心Ｂは該可動鉄心Ｂを常時弾発付勢する小径圧縮渦巻発条Ｂを圧縮しながら該ソレノイドの略中央部に移動して該弁座本体の該外部開放口に連通する弁座Ｂを開放し、該シリンダ内に存在する空気が圧縮空気Ａになり該該逆止弁ユニット部のシャトル該連通本体側に移動した場合は該連通本体の固定鉄心ｂの貫通孔ｂ内を通り、該可動鉄心誘導孔Ｂ内を通り、該弁座本体の該外部開放口に連通する弁座Ｂを通り、該外部開放口から外部に排気し、
洗濯機の洗濯工程時における洗濯機のエアートラップからの圧縮空気Ｂは、該エアートラップ内空気導入口から弁座Ａを通り、該弁座本体の水位センサ接続口に連通する開口Ｃ内を通り、該水位センサ接続口から排気されて洗濯機の水位センサに伝達され、
このように、該ソレノイドの消磁又は励磁により、洗濯機の洗濯工程においては、洗濯槽に給水される水量により洗濯機のエアートラップに存在する空気が圧縮された圧縮空気Ｂを洗濯機の水位センサに伝達し、また洗濯機の脱水工程においては、洗濯槽内の洗濯物の偏り等による洗濯槽の横揺振動を圧縮空気Ａに変換し横揺振動量に応じてさらに加圧し、該エアートラップからの圧縮空気Ｂを無効にして圧縮空気Ａを水位センサに伝達し、圧縮空気Ａ・Ｂの２つの圧縮空気を切替えて独立して一方のみの圧縮空気を該水位センサに伝達できることを特徴とする振動−圧力変換機能内蔵型空気多方切替弁装置。
【発明の詳細な説明】
【技術分野】
【０００１】
本発明は、全自動洗濯機（以下、洗濯機という。）の円滑な自動運転を的確に継続するために搭載される補助装置に係るものであり、詳しくは洗濯機の洗濯工程においては、洗濯槽（兼脱水槽）に給水される水量によりエアートラップに存在する空気が圧縮された圧縮空気Ｂを水位センサに伝達し、また脱水工程においては、洗濯槽内の洗濯物の偏り等による洗濯槽の横揺振動を圧力（圧縮空気Ａ）に変換し横揺振動量に応じてさらに加圧し、該エアートラップからの圧縮空気Ｂを無効にして圧縮空気Ａを水位センサに伝達し、圧縮空気Ａ・Ｂの２つの圧縮空気を切替えて独立して一方のみの圧縮空気を該水位センサに伝達できる振動−圧力変換機能内蔵型空気多方切替弁装置に関する。
【背景技術】
【０００２】
従来、洗濯機の洗濯工程において、洗濯機の洗濯槽（兼脱水槽）に給水される水量により、該洗濯槽の外周部に設けられたエアートラップに存在する空気が圧縮された圧縮空気Ｂを検出するのに好適な水位（圧力）センサとしては、ケーシング（例えば、ポリプロピレン樹脂）の本体部より圧縮渦巻発条（例えば、ステンレス鋼線）を収納する筒を突設し、その圧縮渦巻発条収納筒内に筒を閉じ、その圧縮渦巻発条（ばね、圧縮コイルスプリング）の弾性力を調節する圧縮渦巻発条調節ねじを螺着し、そのケーシング内に銅線（例えば、エナメル線）をボビン（例えば、ナイロン樹脂）に巻装したコイルＬと軟質ゴムからなるダイヤフラムとを互いに離して配設し、そのコイルＬの空洞部に圧縮渦巻発条によりダイヤフラムの面と垂直方向に付勢力を受ける駒筒を設置し、その駒筒内にダイヤフラム（例えばゴム等）と連動する環形円柱の磁性部材（コア）を収納し、ケーシングとダイヤフラムを挟着するようにカバー体を設けてなる水位（圧力）センサ（例えば、特許文献１参照。）が知られている。
【０００３】
従来、洗濯機の脱水工程において、洗濯槽内の洗濯物の偏り等による洗濯槽の横揺振動を検出する振動検出装置としては、振動検出レバーでスイッチ接点を開閉するアンバランス検出スイッチ（例えば、特許文献２参照。）が知られている。
しかし、通常、アンバランス検出スイッチのスイッチ接点同士は常時接触していて、微弱電圧（例えば、ＤＣ＋５Ｖ）が印加されているが、スイッチ接点に微細な塵埃等が付着した場合、スイッチ接点同士において接触不充分となり導通不良となるおそれがあったり、スイッチ接点の表面が水滴付着や高湿度により酸化して絶縁酸化膜が生成された場合、例えば、低電圧（例えば、ＡＣ１００Ｖ）が印加されているスイッチ接点の開放時に期待できるアーク放電による絶縁酸化膜破壊が期待できず導通不良となるおそれがあったりして、横揺振動を高精度で検出できない場合があった。
また、洗濯槽が連続又は断続して横揺振動した場合は、初期の横揺振動でも振動検出レバーが所定の変位量以上の変位をすると、スイッチ接点同士が離れ、横揺振動状態と判定されて脱水工程を停止する処置が実施されるので、脱水工程そのものに支障のない横揺振動の場合でも自動運転の円滑な進行を妨げることもあった。
【０００４】
このようなアンバランス検出スイッチの一部の不具合を解決し、横揺振動の量をアナログ的に検出し、この変位量に基づいて横揺振動の程度を判定する振動検出装置が提案されている。
例えば、洗濯槽の横揺振動による変位と洗濯物の飛び出しにより圧力が変化するアンバランスセンサを洗濯槽に対向するように該洗濯槽の外周に設け、該アンバランスセンサの圧力変化を電気的圧力信号としてアナログ的に出力する水位（圧力）センサに前記アンバランスセンサを接続することにより、洗濯槽の横揺振動による変位量が圧力変化による電気的圧力信号としてアナログ的に出力されるようにしたアンバランス検出装置（例えば、特許文献３参照。）が知られている。
アンバランスセンサを水位（圧力）センサに導圧チューブで接続する空気袋とすることで、簡単な構造で容易に配設でき、しかも変位量を空気圧の変化として確実に検出でき、また水位（圧力）センサを洗濯槽内の水位を検知するため洗濯槽のエアートラップに導圧チューブで接続される水位センサと共用することにより、洗濯槽の変位量を検出するための水位（圧力）センサを別途格別に配設する必要がなく、アンバランスセンサからの導圧チューブと洗濯槽のエアートラップからの導圧チューブとはつなぎ管で水位（圧力）センサに接続し、アンバランスセンサからの導圧チューブを太径に、洗濯槽のエアートラップからの導圧チューブを細径に形成することにより、１台の水位（圧力）センサにアンバランスセンサからの導圧チューブと洗濯槽のエアートラップからの導圧チューブとが連通状態で接続されてもアンバランスセンサからの圧力が洗濯槽の方に逃げることを防止でき、また、アンバランスセンサからの速い圧力変化を迅速に捉えることができる特徴がある。
【０００５】
【特許文献１】登録実用新案第３０２１１６９号公報
【特許文献２】特公平７−２０５２０号公報
【特許文献３】特開平１０−２６３２７５号公報
【発明の開示】
【発明が解決しようとする課題】
【０００６】
しかしながら、アンバランスセンサである空気袋からの導圧チューブと、洗濯槽のエアートラップからの導圧チューブと、がつなぎ管で連通状態で接続されているので、例えば、洗濯機の洗濯工程において、洗濯槽に給水している途中に、何らかの原因でアンバランスセンサである空気袋が押圧されたと仮定すると、水位（圧力）センサが、洗濯機の洗濯槽に給水されている水量を誤認識することが予想されるという問題点がある。
また、洗濯機の脱水工程において、洗濯槽のエアートラップに逃げる圧力（空気）が僅かでも発生して、該空気袋の押圧が弱くなり、水位（圧力）センサから得られるアナログ信号が小さい或いはアナログ信号の変化量が少ないという問題点がある。
【課題を解決するための手段】
【０００７】
本発明は、従来の技術の有するこのような問題点を鑑みてなされたものであり、その目的とするところは、単なる導圧チューブ同士のつなぎ管ではなく、洗濯機の洗濯工程においては、洗濯機の洗濯槽に給水される水量により該洗濯槽の外周部に設けられたエアートラップに存在する空気が圧縮された圧縮空気Ｂを洗濯機の水位センサに伝達し、また洗濯機の脱水工程においては、洗濯槽内の洗濯物の偏り等による洗濯槽の横揺振動を圧力（圧縮空気Ａ）に変換し横揺振動量に応じてさらに加圧し、該エアートラップからの圧縮空気Ｂを無効にして圧縮空気Ａを該水位センサに伝達し、圧縮空気Ａ・Ｂの２つの圧縮空気を切替えて独立して該水位センサに伝達できる振動−圧力変換機能内蔵型空気多方切替弁装置を提供しようとするものである。
【０００８】
上記目的を達成するために、本発明の振動−圧力変換機能内蔵型空気多方切替弁装置は、構成（ハード）的には、
プランジャユニットとシリンダとからなるプランジャポンプ部（往復運動ポンプの一種。シリンダー内をプランジャーが往復し送水するポンプ。高圧に適するが、吸込みと吐出しとが交互に行われるから、送水量が脈動する欠点がある。）と、逆止弁ユニット部と、可動鉄心Ａ及び可動鉄心Ｂを内蔵する弁座本体とソレノイドを有する連通本体とからなる電磁式切替弁部と、洗濯機取付板と、からなり、洗濯機の洗濯槽の上部に水平配設されて該洗濯槽の横揺振動に反応して該シリンダ内に存在する空気が圧縮されて圧縮空気Ａになりその圧縮空気Ａを伝達及び遮断を切替えて洗濯機の水位センサに送ったり、洗濯機のエアートラップからの圧縮空気Ｂを伝達及び遮断を切替えて該水位センサに送ったりできる振動−圧力変換機能内蔵型空気多方切替弁装置であって、
プランジャユニットは、合成樹脂成形部材（例えば、ポリプロピレン樹脂）で形成された槽接触棒と、該槽接触棒を常時弾発付勢する中径圧縮渦巻発条（例えば、ステンレス鋼線）と、筒中部が閉塞し筒一端部が開口し該筒一端部から該中径圧縮渦巻発条と該槽接触棒の一部とを筒内周部に収納し筒外周部に鍔部を有し該鍔部の一側面に当接するように筒外周部に中径気密環状弾性体（例えば、軟質ゴム性のＯリング）を環装し筒他端部の軸方向から該鍔部の一側面方向へ連通する複数の連通孔を有する合成樹脂成形部材（例えば、ポリプロピレン樹脂）で形成された筒のプランジャ（流体を圧縮送出するために往復運動をなす機械部分の総称。ピストンはその一種。）と、該プランジャの該中径気密環状弾性体を押圧するように筒外周部に軟質ゴム性のＶパッキンを環装した筒型コイルボビン状の合成樹脂成形部材（例えば、ポリプロピレン樹脂）で形成されたプランジャホルダと、該プランジャホルダが抜脱できないように該プランジャの筒他端部と結合される合成樹脂成形部材（例えば、ポリプロピレン樹脂）で形成された鍔体と、からなり、
合成樹脂成形部材（例えば、ポリプロピレン樹脂）で形成されたシリンダは、小径開口し該プランジャの鍔部の他側面に当接する壁面部を有する中空円柱一端部と、鍔部を有し大径開口した中空円柱他端部と、を有する中空円柱からなり、
プランジャポンプ部は、該シリンダの中空円柱他端部から該プランジャユニットを挿入して突出し該プランジャユニットを常時弾発付勢する大径圧縮渦巻発条（例えば、ステンレス鋼線）を中空円柱内周部に収納してなり、
逆止弁ユニット部は、軟質ゴム性のＯリングを環装した円錐状のシャトルと、該シャトルを常時弾発付勢する中径圧縮渦巻発条Ｄ（例えば、ステンレス鋼線）と、小径開口した一端部と中径開口し鍔部を有する他端部とを有し該他端部から該シャトルと該中径圧縮渦巻発条Ｄとを収納する内筒と、該中径圧縮渦巻発条Ｄが抜脱できないように該他端部と結合される蓋体と、からなり、
合成樹脂成形部材（例えば、ポリプロピレン樹脂）で形成された弁座本体は、両端部に弾性部材（例えば、シリコンゴム）で形成された弁体が固定された磁性部材（例えば、ステンレス鋼棒）で形成された円柱状の可動鉄心Ａと該可動鉄心Ａを常時弾発付勢する小径圧縮渦巻発条Ａ（例えば、ステンレス鋼線）とが収納された可動鉄心誘導筒孔Ａと、一端部に弾性部材（例えば、シリコンゴム）で形成された弁体が固定された磁性部材（例えば、ステンレス鋼棒）で形成された円柱状の可動鉄心Ｂと該可動鉄心Ｂを常時弾発付勢する小径圧縮渦巻発条Ｂ（例えば、ステンレス鋼線）とが収納された可動鉄心誘導孔Ｂと、を有する環状円柱体で、該環状円柱体の一端部側にはエアートラップ内空気導入口と外部開放口と水位センサ接続口とが設けられ、該可動鉄心誘導孔Ａの底面には該エアートラップ内空気導入口に連通する弁座Ａを有し、該可動鉄心誘導孔Ｂの底面には該外部開放口に連通する弁座Ｂと水位センサ接続口に連通する開口Ｃとを有し、
連通本体は、磁性部材（例えば、ステンレス鋼棒）で形成され貫通孔ａを有し一端部側に弁座ａを設けた環状円柱形の固定鉄心ａと、磁性部材（例えば、ステンレス鋼棒）で形成され貫通孔ｂを有し一端部側に弁座ｂを設けた環状円柱形の固定鉄心ｂと、ヨーク一端部に該固定鉄心ａの他端部と該固定鉄心ｂの他端部とが固定されヨーク他端部の略中央部が大径開口する磁性部材（例えば、鉄板）で形成されたコ字状ソレノイドヨークと、該コ字状ソレノイドヨークのヨーク一端部とヨーク他端部との間に取り付けられ銅線（例えば、エナメル線）を円筒状のボビン（例えば、ナイロン樹脂）に巻線し端子片（例えば、ファストン端子＃２５０）やリード線に接続したソレノイドと、からなり、
電磁式切替弁部は、該弁座本体の可動鉄心誘導筒孔Ａに該連通本体の弁座ａがそして該弁座本体の該可動鉄心誘導筒孔Ｂに該連通本体の弁座ｂが挿入されるように、該連通本体の該コ字状ソレノイドヨークのヨーク他端部の大径開口部に該弁座本体の環状円柱体を挿入して取付けたものであり、
空気多方切替弁装置は、該シリンダ内に該プランジャユニットを挿入し、該シリンダ内に常時弾発付勢する大径圧縮渦巻発条を中空円柱内周部に収納し該中空円柱他端部の開口部を閉塞するように逆止弁ユニット部の一端部側を挿入して押止め、該連通本体の該コ字状ソレノイドヨークのヨーク一端部側と該逆止弁ユニット部の他端部側とを面合わせし、該シリンダの中空円柱他端部の鍔部と該弁座本体の環状円柱体の一端部とを挟むように洗濯機取付板（例えば、コ字状の鉄板）が取り付けられて完成されることを特徴とする。
【０００９】
作用（ソフト）的には、
該ソレノイドが無通電のいわゆる消磁時には、該可動鉄心Ａは該可動鉄心Ａを常時弾発付勢する小径圧縮渦巻発条Ａにより該弁座本体の該エアートラップ内空気導入口に連通する弁座Ａを閉塞して洗濯機のエアートラップからの圧縮空気Ｂの通過を遮断し、該可動鉄心Ｂは該可動鉄心Ｂを常時弾発付勢する小径圧縮渦巻発条Ｂにより該弁座本体の該外部開放口に連通する弁座Ｂを閉塞し、
洗濯機の脱水工程時における洗濯槽の横揺振動により該洗濯槽が該プランジャユニットの槽接触棒を押した時は、該槽接触棒を常時弾発付勢する中径圧縮渦巻発条が圧縮されるが圧縮可能範囲内の時は、該プランジャは該シリンダ内を摺動しないが、該中径圧縮渦巻発条が完全に圧縮された時は、プランジャポンプ部の作動が開始され、該プランジャは該シリンダ内を摺動し、該プランジャユニットのプランジャホルダと中径気密環状弾性体とが当接されて、該シリンダ内に存在する空気は該プランジャに設けられた複数の連通孔から逃げることが無くなり、該プランジャユニットを常時弾発付勢する大径圧縮渦巻発条を圧縮しながら該シリンダ内に存在する空気を圧縮して圧縮空気Ａになり、該圧縮空気Ａの押圧により該逆止弁ユニット部のシャトルを常時弾発付勢する中径圧縮渦巻発条Ｄを圧縮しながら該シャトルは該連通本体側に移動し、該圧縮空気Ａは該連通本体の固定鉄心ａの貫通孔ａ内を通り、該可動鉄心誘導筒孔Ａ内を通り、該弁座本体の水位センサ接続口に連通する開口Ｃ内を通り、該水位センサ接続口から排気されて洗濯機の水位センサに伝達され、
洗濯機の脱水工程時における洗濯槽の横揺振動により該洗濯槽と該プランジャユニットの槽接触棒とが離れた時は、プランジャポンプ部の作動が保持され、該槽接触棒は該槽接触棒を常時弾発付勢する中径圧縮渦巻発条により復帰し、該プランジャは該プランジャユニットを常時弾発付勢する大径圧縮渦巻発条により該シリンダ内を摺動しながら復帰し、該プランジャユニットのプランジャホルダと中径気密環状弾性体とが離れて、該プランジャに設けられた複数の連通孔から該シリンダ内に外部の空気が補充されて、該シリンダ内の空気圧力が低下し、その圧力低下により該逆止弁ユニット部は該逆止弁ユニット部のシャトルを常時弾発付勢する中径圧縮渦巻発条Ｄにより復帰し、該水位センサ接続口から排気されている圧縮空気Ａの空気圧力は伝達維持され、
この洗濯機の脱水工程時における洗濯槽の横揺振動が連続又は断続で繰り返される場合は、前記プランジャポンプ部の作動開始と、前記プランジャポンプ部の作動保持と、が交互に繰り返され、該水位センサ接続口から排気され洗濯機の水位センサに伝達されている圧縮空気Ａは徐々に加圧され、該洗濯機に設定された判定値を超えると洗濯機の脱水工程が停止されるような処置に利用され、
【００１０】
該ソレノイドが通電（例えば、ＡＣ１００Ｖ印加）のいわゆる励磁時には、該可動鉄心Ａは該可動鉄心Ａを常時弾発付勢する小径圧縮渦巻発条Ａを圧縮しながら該ソレノイドの略中央部に移動して該弁座本体の該エアートラップ内空気導入口に連通する弁座Ａを開放し、同時に該可動鉄心Ａは該連通本体の固定鉄心ａの弁座ａを閉塞して該シリンダ内に存在する空気の進入を遮断し、該可動鉄心Ｂは該可動鉄心Ｂを常時弾発付勢する小径圧縮渦巻発条Ｂを圧縮しながら該ソレノイドの略中央部に移動して該弁座本体の該外部開放口に連通する弁座Ｂを開放し、該シリンダ内に存在する空気が圧縮空気Ａになり該該逆止弁ユニット部のシャトル該連通本体側に移動した場合は該連通本体の固定鉄心ｂの貫通孔ｂ内を通り、該可動鉄心誘導孔Ｂ内を通り、該弁座本体の該外部開放口に連通する弁座Ｂを通り、該外部開放口から外部に排気し、
洗濯機の洗濯工程時における洗濯機のエアートラップからの圧縮空気Ｂは、該エアートラップ内空気導入口から弁座Ａを通り、該弁座本体の水位センサ接続口に連通する開口Ｃ内を通り、該水位センサ接続口から排気されて洗濯機の水位センサに伝達されることを特徴とする。
【００１１】
このように、該ソレノイドの消磁又は励磁により、洗濯機の洗濯工程においては、洗濯槽に給水される水量により該洗濯槽の外周部に設けられたエアートラップに存在する空気が圧縮された圧縮空気Ｂを洗濯機の水位センサに伝達し、また洗濯機の脱水工程においては、洗濯槽内の洗濯物の偏り等による洗濯槽の横揺振動を圧縮空気Ａに変換し横揺振動量に応じてさらに加圧し、該エアートラップからの圧縮空気Ｂを無効にして圧縮空気Ａを水位センサに伝達し、圧縮空気Ａ・Ｂの２つの圧縮空気を切替えて独立して一方のみの圧縮空気（圧縮空気Ａ又は圧縮空気Ｂの何れか）を該水位センサに伝達できることを特徴とする。
【発明の効果】
【００１２】
洗濯機の洗濯工程においては、洗濯槽に給水される水量により該洗濯槽の外周部に設けられたエアートラップに存在する空気が圧縮された圧縮空気Ｂを水位センサに伝達するので、該洗濯槽に給水されている水量を誤認識することが無いという効果を奏する。
また洗濯機の脱水工程においては、洗濯槽内の洗濯物の偏り等による洗濯槽の横揺振動を圧力（圧縮空気Ａ）に変換し横揺振動量に応じてさらに加圧し、該エアートラップからの圧縮空気Ｂを無効にして圧縮空気Ａを水位センサに伝達するので、水位（圧力）センサのアナログ信号が大きく或いはアナログ信号の変化量が多くとれるいう効果を奏する。
【発明を実施するための最良の形態】
【００１３】
本発明は、洗濯機の洗濯工程においては、洗濯槽に給水される水量により該洗濯槽の外周部に設けられたエアートラップに存在する空気が圧縮された圧縮空気Ｂを水位センサに伝達し、また洗濯機の脱水工程においては、洗濯槽内の洗濯物の偏り等による洗濯槽の横揺振動を圧力（圧縮空気Ａ）に変換し横揺振動量に応じてさらに加圧し、該エアートラップからの圧縮空気Ｂを無効にして圧縮空気Ａを水位センサに伝達し、圧縮空気Ａ・Ｂの２つの圧縮空気を切替えて独立して洗濯機の水位センサに伝達できる振動−圧力変換機能内蔵型空気多方切替弁装置を提供するという目的を、主にプランジャポンプ部と電磁式切替弁部との組合せで実現した。
【実施例】
【００１４】
洗濯機９０の洗濯槽９１の上部に配設される本発明の振動−圧力変換機能内蔵型空気多方切替弁装置１０の構成（構造）を説明する。
図１は、本発明の振動−圧力変換機能内蔵型空気多方切替弁装置１０を搭載する洗濯機９０の部分断面図である。図１（ａ）は、洗濯機９０の部分断面図であり、図１（ｂ）は、図１（ａ）における丸部Ａを拡大した図で、導圧チューブ９３及び９５が差し込まれた状態の本発明の振動−圧力変換機能内蔵型空気多方切替弁装置１０を示した図である。
図２は、本発明の振動−圧力変換機能内蔵型空気多方切替弁装置１０の縮小外観図である。図２（ａ）は、本発明の振動−圧力変換機能内蔵型空気多方切替弁装置１０の縮小平面図であり、図２（ｂ）は、本発明の振動−圧力変換機能内蔵型空気多方切替弁装置１０の縮小正面図である。
図３は、本発明の振動−圧力変換機能内蔵型空気多方切替弁装置１０においてソレノイド７９消磁時及び槽接触棒１６が洗濯機９０の洗濯槽９１に押圧されていない時の正面断面図である。
図４は、図３にＡ−Ａ切断線と丸部Ｂを追加した参考図である。
図５は、図４におけるＡ−Ａ断面図と丸部Ｂを拡大した図である。図５（ａ）は、図４におけるＡ−Ａ断面図であり、図５（ｂ）は、図４における丸部Ｂを拡大した図である。
【００１５】
本発明の振動−圧力変換機能内蔵型空気多方切替弁装置１０は、プランジャユニット１５とシリンダ３０とからなるプランジャポンプ部４０と、逆止弁ユニット部５０と、可動鉄心Ａ７０及び可動鉄心Ｂ７５を内蔵する弁座本体６０とソレノイド７９を有する連通本体８０とからなる電磁式切替弁部８９と、からなる。
そして、図１に示すように、洗濯機９０の洗濯槽９１の上部に水平配設されて動作するものである。
【００１６】
プランジャユニット１５は、合成樹脂成形部材（例えば、ポリプロピレン樹脂）で形成された槽接触棒１６と、該槽接触棒１６を常時弾発付勢する中径圧縮渦巻発条１７（例えば、ステンレス鋼線）と、筒中部が閉塞し筒一端部２１が開口し該筒一端部２１から該中径圧縮渦巻発条１７と該槽接触棒１６の一部とを筒内周部に収納し筒外周部に鍔部２２を有し該鍔部２２の一側面に当接するように筒外周部に中径気密環状弾性体２３（例えば、Ｏリング）を環装し筒他端部２４の軸方向から該鍔部２２の一側面方向へ連通する複数の連通孔２５を有する合成樹脂成形部材（例えば、ポリプロピレン樹脂）で形成された筒のプランジャ２０（流体を圧縮送出するために往復運動をなす機械部分の総称。ピストンはその一種。）と、該プランジャ２０の該中径気密環状弾性体２３を押圧するように筒外周部にＶパッキン２７を環装した筒型コイルボビン状の合成樹脂成形部材（例えば、ポリプロピレン樹脂）で形成されたプランジャホルダ２６と、該プランジャホルダ２６が抜脱できないように該プランジャ２０の筒他端部２４と結合される合成樹脂成形部材（例えば、ポリプロピレン樹脂）で形成された鍔体２８と、からなる。
【００１７】
合成樹脂成形部材（例えば、ポリプロピレン樹脂）で形成されたシリンダ３０は、小径開口し該プランジャ２０の鍔部２２の他側面に当接する壁面部３１を有する中空円柱一端部３２と、鍔部３３を有し大径開口した中空円柱他端部と、を有する中空円柱からなる。
【００１８】
プランジャポンプ部４０は、該シリンダ３０の中空円柱他端部（鍔部３３側）から該プランジャユニット１５を挿入して突出し該プランジャユニット１５を常時弾発付勢する大径圧縮渦巻発条４１（例えば、ステンレス鋼線）を中空円柱内周部に収納してなるものである。
【００１９】
逆止弁ユニット部５０は、Ｏリング５１を環装した円錐状のシャトル５２と、該シャトル５２を常時弾発付勢する中径圧縮渦巻発条Ｄ５３（例えば、ステンレス鋼線）と、小径開口した一端部５４と中径開口し鍔部５５を有する他端部５６とを有し該他端部５６から該シャトル５２と該中径圧縮渦巻発条Ｄ５３とを収納する内筒５７と、該中径圧縮渦巻発条Ｄ５３が抜脱できないように該他端部５６と結合される蓋体５８と、からなる（図３及び図４参照。）。
【００２０】
合成樹脂成形部材（例えば、ポリプロピレン樹脂）で形成された弁座本体６０は、一端部に弾性部材（例えば、シリコンゴム）で形成された弁体７１と他端部に弾性部材（例えば、シリコンゴム）で形成された弁体７２とが固定された磁性部材（例えば、ステンレス鋼棒）で形成された円柱状の可動鉄心Ａ７０と該可動鉄心Ａ７０を常時弾発付勢する小径圧縮渦巻発条Ａ７３（例えば、ステンレス鋼線）とが収納された可動鉄心誘導筒孔Ａ６１と、一端部に弾性部材（例えば、シリコンゴム）で形成された弁体７６が固定された磁性部材（例えば、ステンレス鋼棒）で形成された円柱状の可動鉄心Ｂ７５と該可動鉄心Ｂ７５を常時弾発付勢する小径圧縮渦巻発条Ｂ７８（例えば、ステンレス鋼線）とが収納された可動鉄心誘導孔Ｂ６２と、を有する環状円柱体７４で、該環状円柱体７４の一端部６９側にはエアートラップ内空気導入口６３と外部開放口６４と水位センサ接続口６５とが設けられ、該可動鉄心誘導孔Ａ６１の底面には該エアートラップ内空気導入口６３に連通する弁座Ａ６６を有し、該可動鉄心誘導孔Ｂ６２の底面には該外部開放口６４に連通する弁座Ｂ６７と水位センサ接続口６５に連通する開口Ｃ６８とを有する。
【００２１】
磁性部材（例えば、鉄板）で形成された連通本体８０は、磁性部材（例えば、ステンレス鋼棒）で形成され貫通孔ａ８２を有し一端部側に弁座ａ８３を設けた環状円柱形の固定鉄心ａ８１と、磁性部材（例えば、ステンレス鋼棒）で形成され貫通孔ｂ８５を有し一端部側に弁座ｂ８６を設けた環状円柱形の固定鉄心ｂ８５と、ヨーク一端部８７に該固定鉄心ａ８１の他端部と該固定鉄心ｂ８６の他端部とが固定されヨーク他端部７７の略中央部が大径開口するコ字状ソレノイドヨーク８８と、該コ字状ソレノイドヨーク８８のヨーク一端部８７とヨーク他端部７７との間に取り付けられるソレノイド７９と、からなる。
ソレノイド７９は、マグネット・ワイヤと呼ばれる銅線（例えば、エナメル線）を合成樹脂成形部材（例えば、ナイロン樹脂）で形成された円筒状のボビンに巻いて端子片（例えば、ファストン端子＃２５０）やリード線（電線）に接続（例えば、半田付け、ヒュージング、スポット溶接、レーザ溶接）し、電気絶縁材（例えば、ポリエステル樹脂、エポキシ樹脂、シリコーン樹脂、ウレタン樹脂等の接着シール材等で、他の材質の防水対策材、防湿対策材、結露対策材用等のものも含む。）で封止したものを採用した。
【００２２】
電磁式切替弁部８９は、該弁座本体６０の可動鉄心誘導筒孔Ａ６１に該連通本体８０の弁座ａ８３がそして該弁座本体６０の該可動鉄心誘導筒孔Ｂ６２に該連通本体８０の弁座ｂ８６が挿入されるように、該連通本体８０の該コ字状ソレノイドヨーク８８のヨーク他端部７７の大径開口部に該弁座本体６０の環状円柱体７４を挿入して取付けたものである。
【００２３】
本発明の振動−圧力変換機能内蔵型空気多方切替弁装置１０は、該シリンダ３０内に該プランジャユニット１５を挿入し、該シリンダ３０内に常時弾発付勢する大径圧縮渦巻発条４１を中空円柱内周部に収納し該中空円柱他端部（鍔部３３側）の開口部を閉塞するように逆止弁ユニット部５０の一端部５４側を挿入して押止め、該連通本体８０の該コ字状ソレノイドヨーク８８のヨーク一端部８７側と該逆止弁ユニット部５０の他端部５６側とを面合わせし、該シリンダ３０の中空円柱他端部の鍔部３３と該弁座本体６０の環状円柱体７４の一端部６９とを挟むように洗濯機取付板１１（例えば、コ字状の鉄板）が取り付けられて完成される。
【００２４】
洗濯機９０の洗濯槽９１の上部に水平配設される本発明の振動−圧力変換機能内蔵型空気多方切替弁装置１０の作用を説明する。
該ソレノイド７９が無通電のいわゆる消磁時（図３参照。）には、該可動鉄心Ａ７０（の弁体７１）は該可動鉄心Ａ７０を常時弾発付勢する小径圧縮渦巻発条Ａ７３により該弁座本体６０の該エアートラップ内空気導入口６３に連通する弁座Ａ６６を閉塞して洗濯機９０のエアートラップ９２からの圧縮空気Ｂの通過を遮断する。
該可動鉄心Ｂ７５（の弁体７６）は該可動鉄心Ｂ７５を常時弾発付勢する小径圧縮渦巻発条Ｂ７８により該弁座本体６０の該外部開放口６４に連通する弁座Ｂ６７を閉塞する。
【００２５】
図６は、本発明の振動−圧力変換機能内蔵型空気多方切替弁装置１０においてソレノイド７９消磁時及び槽接触棒１６が洗濯機９０の洗濯槽９１の横揺振動を小さく受けた時の正面断面図である。太線で上下に矢印がある指示線は、洗濯機９０の洗濯槽９１の横揺振動を小さく受けた時の槽接触棒１６が左右往復動（本発明の振動−圧力変換機能内蔵型空気多方切替弁装置１０が洗濯機９０の洗濯槽９１の上部に水平配設されてため左右方向の往復動となる。）している状態を示すものとする。
洗濯機９０の脱水工程時における洗濯槽９１の横揺振動により該洗濯槽９１が該プランジャユニット１５の槽接触棒１６を少し押した時は、該槽接触棒１６を常時弾発付勢する中径圧縮渦巻発条１７が圧縮されるが、圧縮可能範囲内の時は、該プランジャ２０は該シリンダ３０内を摺動しないで、槽接触棒１６のみが往復動をするだけである。
【００２６】
図７は、本発明の振動−圧力変換機能内蔵型空気多方切替弁装置１０においてソレノイド７９消磁時及び槽接触棒１６が洗濯機９０の洗濯槽９１の横揺振動を大きく受けた時の正面断面図である。太線で矢印がある槽接触棒１６付近の長い指示線は、槽接触棒１６が、洗濯機９０の洗濯槽９１の横揺振動を大きく受けて動いている状態を示すものとする。また太線で矢印がある逆止弁ユニット部５０付近の長い指示線は、逆止弁ユニット部５０が、該シリンダ３０内に存在する空気３５が圧縮されて圧縮空気Ａになった時の圧力を受けて動いている状態を示すものとする。また４本の太線で矢印がある短い指示線は、圧縮空気Ａが通る通路を示すものとする。
洗濯機９０の脱水工程時における洗濯槽９１の横揺振動により該洗濯槽９１が該プランジャユニット１５の槽接触棒１６を多く押した時は、プランジャポンプ部４０の作動が開始される。
該中径圧縮渦巻発条１７が完全に圧縮された時は、該プランジャ２０は該シリンダ３０内を摺動し、該プランジャユニット１５のプランジャホルダ２６と中径気密環状弾性体２３とが当接されて、該シリンダ３０内に存在する空気３５は該プランジャ２０に設けられた複数の連通孔２５から逃げることが無くなり、該プランジャユニット１５を常時弾発付勢する大径圧縮渦巻発条４１を圧縮しながら該シリンダ３０内に存在する空気３５を圧縮して圧縮空気Ａになり、該圧縮空気Ａの押圧により該逆止弁ユニット部５０のシャトル５２を常時弾発付勢する中径圧縮渦巻発条Ｄ５３を圧縮しながら該シャトル５２は該連通本体８０側に移動し、該圧縮空気Ａは該連通本体８０の固定鉄心ａ８１の貫通孔ａ８２内を通り、該可動鉄心誘導孔Ａ６１内を通り、該弁座本体６０の水位センサ接続口６５に連通する開口Ｃ６８内を通り、該水位センサ接続口６５から排気されて洗濯機９０の水位センサ９５に伝達される。
【００２７】
洗濯機９０の脱水工程時における洗濯槽９１の横揺振動により該洗濯槽９１と該プランジャユニット１５の槽接触棒１６とが離れた時は、プランジャポンプ部４０の作動が保持され、該槽接触棒１６は該槽接触棒１６を常時弾発付勢する中径圧縮渦巻発条１７により復帰し、該プランジャ２０は該プランジャユニット１５を常時弾発付勢する大径圧縮渦巻発条４１により該シリンダ３０内を摺動しながら復帰し、該プランジャユニット１５のプランジャホルダ２６と中径気密環状弾性体２３とが離れて、外部の空気は隙間１８（図５参照。）から進入し、該プランジャ２０に設けられた複数の連通孔２５から該シリンダ３０内に補充されて、該シリンダ３０内の空気圧力が低下し、その圧力低下により該逆止弁ユニット部５０は該逆止弁ユニット部５０のシャトル５２を常時弾発付勢する中径圧縮渦巻発条Ｄ５３により復帰し、該水位センサ接続口６５から排気されている圧縮空気Ａの空気圧力は伝達維持される。
【００２８】
この洗濯機９０の脱水工程時における洗濯槽９１の横揺振動が連続又は断続で繰り返される場合は、本明細書の段落番号００２６に記載のプランジャポンプ部４０の作動開始と、本明細書の段落番号００２７に記載のプランジャポンプ部４０の作動保持と、が交互に繰り返され、該水位センサ接続口６５から排気され、洗濯機９０の水位センサ９５に伝達されている圧縮空気Ａは徐々に加圧され、該洗濯機９０に設定された判定値を超えると、洗濯機９０の脱水工程が停止されるような処置に利用される。
【００２９】
図８は、本発明の振動−圧力変換機能内蔵型空気多方切替弁装置１０においてソレノイド７９の励磁直後及び槽接触棒１６が洗濯機９０の洗濯槽９１に押圧されていない時の正面断面図である。４本の太線で矢印がある短い指示線は、水位センサ９５から戻ってきた圧縮空気Ａが通る通路を示すものとする。
図９は、本発明の振動−圧力変換機能内蔵型空気多方切替弁装置１０においてソレノイド７９励磁時及び槽接触棒１６が洗濯機９０の洗濯槽９１に押圧されていない時の正面断面図である。４本の太線で矢印がある短い指示線は、洗濯機９０のエアートラップ９２から伝達される圧縮空気Ｂが通る通路を示すものとする。
該ソレノイド７９が通電（例えば、ＡＣ１００Ｖ印加）のいわゆる励磁時には、該可動鉄心Ａ７０（の弁体７１）は該可動鉄心Ａ７０を常時弾発付勢する小径圧縮渦巻発条Ａ７３を圧縮しながら該ソレノイド７９（ソレノイドヨークである該中空円板７７と同じくソレノイドヨークである該連通本体８０と間）の略中央部に移動して該弁座本体６０の該エアートラップ内空気導入口６３に連通する弁座Ａ６６を開放する。そして、同時に該可動鉄心Ａ７０（の弁体７２）は該連通本体８０の固定鉄心ａ８１の弁座ａ８３を閉塞するので、該シリンダ３０内に存在する空気３５の進入を遮断する。
ここで、図８に示すように、洗濯機９０の水位センサ９５に加圧された圧縮空気Ａが存在する時は、該水位センサ接続口６５から該水位センサ接続口６５に連通する開口Ｃ６８内を通り、該エアートラップ内空気導入口６３に連通する弁座Ａ６６から該エアートラップ内空気導入口６３を通り、洗濯機９０のエアートラップ９２側に排気され、該水位センサ９５内の圧縮空気Ａが無くなり復帰する。
【００３０】
図１０は、本発明の振動−圧力変換機能内蔵型空気多方切替弁装置１０においてソレノイド７９励磁時及び槽接触棒１６が洗濯機９０の洗濯槽９１の横揺振動を大きく受けた時の正面断面図である。太線で矢印がある槽接触棒１６付近の長い指示線は、槽接触棒１６が、洗濯機９０の洗濯槽９１の横揺振動を大きく受けて動いている状態を示すものとする。また太線で矢印がある逆止弁ユニット部５０付近の長い指示線は、逆止弁ユニット部５０が、該シリンダ３０内に存在する空気３５が圧縮されて圧縮空気Ａになった時の圧力を受けて動いている状態を示すものとする。また４本の太線で矢印がある短い指示線は、圧縮空気Ａが通る通路を示すものとする。
該ソレノイド７９が通電（例えば、ＡＣ１００Ｖ印加）のいわゆる励磁時には、該可動鉄心Ｂ７５（の弁体７６）は該可動鉄心Ｂ７５を常時弾発付勢する小径圧縮渦巻発条Ｂ７８を圧縮しながら該ソレノイド７９の略中央部に移動して該弁座本体６０の該外部開放口６４に連通する弁座Ｂ６７を開放する。
そして、何らかの原因で、洗濯機９０の洗濯槽９１の横揺振動により該洗濯槽９１が該プランジャユニット１５の槽接触棒１６を多く押した時は、プランジャポンプ部４０の作動が開始される。
該中径圧縮渦巻発条１７が完全に圧縮された時は、該プランジャ２０は該シリンダ３０内を摺動し、該プランジャユニット１５のプランジャホルダ２６と中径気密環状弾性体２３とが当接されて、該シリンダ３０内に存在する空気３５は該プランジャ２０に設けられた複数の連通孔２５から逃げることが無くなり、該プランジャユニット１５を常時弾発付勢する大径圧縮渦巻発条４１を圧縮しながら該シリンダ３０内に存在する空気３５を圧縮して圧縮空気Ａになり、該圧縮空気Ａの押圧により該逆止弁ユニット部５０のシャトル５２を常時弾発付勢する中径圧縮渦巻発条Ｄ５３を圧縮しながら該シャトル５２は該連通本体８０側に移動し、該圧縮空気Ａは該連通本体８０の固定鉄心ｂ８４の貫通孔ｂ８５内を通り、該可動鉄心誘導孔Ｂ６２内を通り、該弁座本体６０の該外部開放口６４に連通する弁座Ｂ６７を通り、該外部開放口６４から外部に排気する。
【００３１】
図９に示すように、洗濯機９０の洗濯工程時においては、洗濯機９０の洗濯槽９１に給水されることにより発生する洗濯機９０のエアートラップ９２からの圧縮空気Ｂは、該弁座本体６０の該エアートラップ内空気導入口６３から弁座Ａ６６を通り、該弁座本体６０の水位センサ接続口６５に連通する開口Ｃ６８内を通り、該水位センサ接続口６５から排気されて洗濯機９０の水位センサ９５に伝達される。
【００３２】
このように、該ソレノイド７９の消磁又は励磁（例えば、ＡＣ１００Ｖ印加）により、洗濯機９０の洗濯工程においては、洗濯槽９１に給水される水量により該洗濯槽９１の外周部に設けられたエアートラップ９２に存在する空気が圧縮された圧縮空気Ｂを洗濯機９０の水位センサ９５に伝達し、また洗濯機９０の脱水工程においては、洗濯槽９１内の洗濯物の偏り等による洗濯槽９１の横揺振動を圧縮空気Ａに変換し横揺振動量に応じてさらに加圧し、該エアートラップ９２からの圧縮空気Ｂを無効にして圧縮空気Ａを水位センサ９５に伝達し、圧縮空気Ａ・Ｂの２つの圧縮空気を切替えて独立して一方のみの圧縮空気（圧縮空気Ａ又は圧縮空気Ｂの何れか）が該水位センサ９５に伝達できるものである。
【００３３】
以上、本発明の好適な実施の形態について述べてきたが、本発明は上述する実施の形態に限定されるものでなく、発明の精神を逸脱しない範囲で多くの改変等を施し得るのはもちろんである。
【００３４】
例えば、可動鉄心Ａ７０の外観部をゴム等の弾性体で形成して弁体７１及び弁体７２を一体化し、内部にはステンレス鋼棒の磁性部材を埋設しても良い。
また、該プランジャ２０の筒外周部に設けられたプランジャホルダ２６内のＶパッキン２７をＸリングやＯリング等としても良い。
【産業上の利用可能性】
【００３５】
洗濯機のみならず、水位（圧力）センサを搭載するシステムバス、全自動食器洗い乾燥器等にも適用できる。
【図面の簡単な説明】
【００３６】
【図１】本発明の振動−圧力変換機能内蔵型空気多方切替弁装置を搭載する洗濯機の部分断面図である。
【図２】本発明の振動−圧力変換機能内蔵型空気多方切替弁装置の縮小外観図である。
【図３】本発明の振動−圧力変換機能内蔵型空気多方切替弁装置においてソレノイド消磁時及び槽接触棒が洗濯機の洗濯槽に押圧されていない時の正面断面図である。
【図４】図３にＡ−Ａ切断線と丸部Ｂを追加した参考図である。
【図５】図４におけるＡ−Ａ断面図と丸部Ｂを拡大した図である。
【図６】本発明の振動−圧力変換機能内蔵型空気多方切替弁装置においてソレノイド消磁時及び槽接触棒が洗濯機の洗濯槽の横揺振動を小さく受けた時の正面断面図である。
【図７】本発明の振動−圧力変換機能内蔵型空気多方切替弁装置においてソレノイド消磁時及び槽接触棒が洗濯機の洗濯槽の横揺振動を大きく受けた時の正面断面図である。
【図８】本発明の振動−圧力変換機能内蔵型空気多方切替弁装置においてソレノイドの励磁直後及び槽接触棒が洗濯機の洗濯槽に押圧されていない時の正面断面図である。
【図９】本発明の振動−圧力変換機能内蔵型空気多方切替弁装置においてソレノイド励磁時及び槽接触棒が洗濯機の洗濯槽に押圧されていない時の正面断面図である。
【図１０】本発明の振動−圧力変換機能内蔵型空気多方切替弁装置においてソレノイド励磁時及び槽接触棒が洗濯機の洗濯槽の横揺振動を大きく受けた時の正面断面図である。
【符号の説明】
【００３７】
１０…本発明の振動−圧力変換機能内蔵型空気多方切替弁装置、１１…洗濯機取付板、１２…洗濯機取付板の取付用穴、１５…プランジャユニット、１６…槽接触棒、１７…中径圧縮渦巻発条、１８…外部空気取入用隙間、２０…プランジャ、２１…筒一端部、２２…鍔部、２３…中径気密環状弾性体、２４…筒他端部、２５…連通孔、２６…プランジャホルダ、２７…Ｖパッキン、２８…鍔体、３０…シリンダ、３１…壁面部、３２…中空円柱一端部、３３…鍔部、３５…シリンダ内に存在する空気、４０…プランジャポンプ部、４１…大径圧縮渦巻発条、５０…逆止弁ユニット部、５１…Ｏリング、５２…シャトル、５３…中径圧縮渦巻発条Ｄ、５４…一端部、５５…鍔部、５６…他端部、５７…内筒、５８…蓋体、６０…弁座本体、６１…可動鉄心誘導筒孔Ａ、６２…可動鉄心誘導孔Ｂ、６３…エアートラップ内空気導入口、６４…外部開放口、６５…水位センサ接続口、６６…弁座Ａ、６７…弁座Ｂ、６８…開口Ｃ、６９…環状円柱体７４の一端部、７０…可動鉄心Ａ、７１…可動鉄心Ａの一端部の弁体、７２…可動鉄心Ａの他端部の弁体、７３…小径圧縮渦巻発条Ａ、７４…環状円柱体、７５…可動鉄心Ｂ、７６…可動鉄心Ｂの一端部の弁体、７７…ソレノイドヨーク８８のヨーク他端部、７８…小径圧縮渦巻発条Ｂ、７９…ソレノイド、８０…連通本体、８１…固定鉄心ａ、８２…貫通孔ａ、８３…弁座ａ、８４…固定鉄心ｂ、８５…貫通孔ｂ、８６…弁座ｂ、８７…ソレノイドヨーク８８のヨーク一端部、８８…ソレノイドヨーク、８９…電磁式切替弁部、９０…洗濯機、９１…洗濯槽、９２…エアートラップ、９３…エアートラップからの導圧チューブ、９４…水位センサへの導圧チューブ、９５…水位センサ
【要約】
【課題】洗濯機９０の洗濯工程においては、洗濯機９０の洗濯槽９１に給水される水量により該洗濯槽９１の外周部に設けられたエアートラップ９２に存在する空気が圧縮された圧縮空気Ｂを洗濯機９０の水位センサ９５に伝達し、また洗濯機９０の脱水工程においては、洗濯槽９１内の洗濯物の偏り等による洗濯槽９１の横揺振動を圧力（圧縮空気Ａ）に変換し横揺振動量に応じてさらに加圧し、該エアートラップ９２からの圧縮空気Ｂを無効にして圧縮空気Ａを該水位センサ９５に伝達し、圧縮空気Ａ又は圧縮空気Ｂの何れかを切替えて該水位センサ９５に伝達できるようにする。
【解決手段】プランジャユニット１５とシリンダ３０とからなるプランジャポンプ部４０と、逆止弁ユニット部５０と、可動鉄心Ａ７０及び可動鉄心Ｂ７５を内蔵する弁座本体６０とソレノイド７９を有する連通本体８０とからなる電磁式切替弁部８９と、で構成する。
【選択図】図３
【図１】
0003635649.tif 000002
【図２】
0003635649.tif 000003
【図３】
0003635649.tif 000004
【図４】
0003635649.tif 000005
【図５】
0003635649.tif 000006
【図６】
0003635649.tif 000007
【図７】
0003635649.tif 000008
【図８】
0003635649.tif 000009
【図９】
0003635649.tif 000010
【図１０】
0003635649.tif 000011